(57)【要約】【課題】放射性液体の分注精度の向上を図る。【解決手段】シリンジ２６により原液バイアル１２から分注シリンジ２５に放射性液体を分注する方法である。この方法では、原液バイアル１２から放射性液体の一部を抽出して保管バイアル２２に保管し、原液バイアル１２に残った放射性液体を希釈してから、希釈された放射性液体を分注シリンジ２５に分注する。【選択図】図４
2006133139.tif 000002
【特許請求の範囲】
【請求項１】
吸引吐出器により原容器から分注容器に放射性液体を分注する方法であって、
前記原容器から前記放射性液体の一部を抽出して保管容器に保管し、
前記原容器に残った前記放射性液体を希釈してから、希釈された該放射性液体を前記分注容器に分注する、ことを特徴とする放射性液体の分注方法。
【請求項２】
前記原容器内の前記放射性液体の放射能量が所定値以下になったとき、前記保管容器に保管されている前記放射性液体の少なくとも一部を前記原容器に戻す、ことを特徴とする請求項１に記載の放射性液体の分注方法。
【請求項３】
前記原容器からの最小取出放射能量をＲｍとし、前記原容器に貯留された前記放射性液体の濃度をＲｃとし、前記吸引吐出器の許容最小吐出液量をＬｍとし、前記Ｒｍと前記Ｒｃとの比（Ｒｍ／Ｒｃ）をＺとしたとき、
Ｚ＜Ｌｍであるときに、前記原容器から前記放射性液体の一部を抽出して前記保管容器に保管する、ことを特徴とする請求項１又は２に記載の放射性液体の分注方法。
【請求項４】
前記原容器に残す前記放射性液体の希釈前の液量Ｌ２は、前記最小取出放射能量Ｒｍ、前記許容最小吐出液量Ｌｍ、前記放射性液体の濃度Ｒｃ、及び前記原容器に貯留された前記放射性液体の液量Ｌ１に基づいて定まる許容液量Ｌ０以下とする、ことを特徴とする請求項３に記載の放射性液体の分注方法。
【請求項５】
放射性液体を収容するための原容器と、
前記原容器から前記放射性液体を分注するための分注容器と、
前記原容器から抽出された前記放射性液体の一部を保管するための保管容器と、
前記放射性液体の吸引及び吐出を行うための吸引吐出器と、
前記放射性液体を希釈する希釈液を供給するための希釈液供給部と、
前記原容器、前記分注容器、前記保管容器、前記吸引吐出器、及び前記希釈液供給部の間で流路を切替えるための流路切替手段と、
を備えることを特徴とする放射性液体の分注装置。
【発明の詳細な説明】
【技術分野】
【０００１】
本発明は、放射性液体の分注方法及び分注装置に関する。
【背景技術】
【０００２】
放射性核種（ＲＩ）で標識した化合物を含む放射性液体を体内に投与し、この標識化合物が体内の特定箇所に集まった様子を専用の装置で撮像することによって、疾病等を診断する核医学診断法が開発されている。この診断法では、比較的短寿命の放射性核種（例えば、ポジトロン放出核種として、15Ｏは２分、11Ｃは２０分、18Ｆは１１０分の半減期を持つ）で標識された、15Ｏ−水や11Ｃ−メチオニンや18Ｆ−ＦＤＧ（フルオロデオキシグルコース）等が放射性液体として用いられる。
【０００３】
このような核医学診断法に用いられる放射性液体は、合成装置により合成され原容器に貯留される。そして、放射性液体を小分けにしたり、被験者に投与したりするときに、例えば特許文献１に開示されているように、シリンジを駆動制御して、原容器から所定量を分注する。
【特許文献１】特開２００２−３０６６０９号公報
【発明の開示】
【発明が解決しようとする課題】
【０００４】
ここで、シリンジにより原容器から分注容器に放射性液体を単に分注する従来の方法では、放射性液体が高濃度のとき、極少量を分注する必要が生じる場合がある。しかしながら、シリンジのピストンの先端に設けられたパッキンにはあそび（ガタ）があるため、極少量を分注する場合にはあそびの影響が無視できなくなって、必ずしも正確な分注を行うことができない虞があった。
【０００５】
本発明は、上記した事情に鑑みてなされたものであり、放射性液体の分注精度の向上を図ることが可能な放射性液体の分注方法及び分注装置を提供することを目的とする。
【課題を解決するための手段】
【０００６】
本発明に係る放射性液体の分注方法は、吸引吐出器により原容器から分注容器に放射性液体を分注する方法である。この方法は、原容器から放射性液体の一部を抽出して保管容器に保管し、原容器に残った放射性液体を希釈してから、希釈された放射性液体を分注容器に分注する、ことを特徴とする。
【０００７】
この方法では、原容器から放射性液体の一部を抽出して保管容器に保管し、原容器に残った放射性液体を希釈しているため、希釈前の放射性液体が高濃度であっても、希釈することで同じ放射能量を得るために必要な液量を増やすことができる。従って、希釈前は極少量で吸引吐出器による高精度な分注が難しくなる虞がある場合であっても、同じ放射能量を得るために必要な液量が増えることで、放射性液体の分注精度の向上が図られる。
【０００８】
このとき、原容器内の放射性液体の放射能量が所定値以下になったとき、保管容器に保管されている放射性液体の少なくとも一部を原容器に戻す、と好ましい。このようにすれば、分注に必要な放射性液体が補充され、継続して分注作業を行うことが可能となる。
【０００９】
また、原容器からの最小取出放射能量をＲｍとし、原容器に貯留された放射性液体の濃度をＲｃとし、吸引吐出器の許容最小吐出液量をＬｍとし、ＲｍとＲｃとの比（Ｒｍ／Ｒｃ）をＺとしたとき、Ｚ＜Ｌｍであるときに、原容器から放射性液体の一部を抽出して保管容器に保管する、と好ましい。このようにすれば、吸引吐出器による高精度な分注が難しくなる虞が極めて高い場合に、分注精度を確実に向上させることができる。
【００１０】
また、原容器に残す放射性液体の希釈前の液量Ｌ２は、最小取出放射能量Ｒｍ、許容最小吐出液量Ｌｍ、放射性液体の濃度Ｒｃ、及び原容器に貯留された放射性液体の液量Ｌ１に基づいて定まる許容液量Ｌ０以下とする、と好ましい。このようにすれば、希釈後に吸引吐出器による高精度な分注を行いうる液量の放射性液体を原容器に残すことができる。
【００１１】
本発明に係る放射性液体の分注装置は、放射性液体を収容するための原容器と、原容器から放射性液体を分注するための分注容器と、原容器から抽出された放射性液体の一部を保管するための保管容器と、放射性液体の吸引及び吐出を行うための吸引吐出器と、放射性液体を希釈する希釈液を供給するための希釈液供給部と、原容器、分注容器、保管容器、吸引吐出器、及び希釈液供給部の間で流路を切替えるための流路切替手段と、を備えることを特徴とする。
【００１２】
この装置では、原容器から放射性液体の一部を抽出して保管容器に保管し、原容器に残った放射性液体を希釈することができる。従って、希釈前の放射性液体が高濃度であっても、希釈することで同じ放射能量を得るために必要な液量を増やすことができる。その結果、希釈前は極少量で吸引吐出器による高精度な分注が難しくなる虞がある場合であっても、同じ放射能量を得るために必要な液量が増えることで、分注精度の向上が図られる。
【発明の効果】
【００１３】
本発明によれば、放射性液体の分注精度の向上を図ることが可能となる。
【発明を実施するための最良の形態】
【００１４】
以下、図面を参照しながら本発明の実施形態を説明する。なお、以下の説明においては、同一の要素には同一の符号を用いることとし、重複する説明は省略する。
（第１実施形態）
【００１５】
図１は、本実施形態に係る放射性液体の分注装置１０の構成を示す図である。図１に示すように、分注装置１０は、放射性液体の原液を貯留する原液バイアル（原容器）１２、この原液バイアル１２を収容可能であると共に、放射線を検出可能である放射線検出器１４を備えている。放射線検出器１４としては、例えば筒型の電離箱を用いることができる。この放射線検出器１４で検出したデータは、後述する制御装置１６に送られ、予め作成した放射線量−放射能量特性曲線を用いて、検出した放射線量から原液バイアル１２内の放射能量を推定することができる。
【００１６】
また分注装置１０は、重量計測器１８及び撮像装置２０を備えている。重量計測器１８は、原液バイアル１２を搭載可能であり、原液バイアル１２に貯留された放射性液体の重量を計測する。この重量計測器１８としては、例えばロードセルや電子天秤を用いることができる。撮像装置２０は、原液バイアル１２を撮像して、液面を検出する。この撮像装置２０としては、例えばＣＣＤカメラを用いることができる。なお、撮像装置２０により原液バイアル１２を撮像し易いように、放射線検出器１４は軸方向に図示しないスリットが設けられていると好ましい。
【００１７】
重量計測器１８は、上記したように重量から原液バイアル１２内の放射性液体の液量を検出可能であり、また撮像装置２０は、上記したように体積（液面）から原液バイアル１２内の放射性液体の液量を検出可能である。従って、これら重量計測器１８及び撮像装置２０は、それぞれ単独で液量検出装置を構成することができる。なお、重量計測器１８及び撮像装置２０の双方のデータを用いて液量を算出してもよく、その場合は重量計測器１８及び撮像装置２０の双方で液量検出装置が構成される。
【００１８】
また分注装置１０は、放射性液体の保管先である保管バイアル（保管容器）２２、この保管バイアル２２を収容する保管バイアル収容部２４を備えている。保管バイアル収容部２４は、上端が開口された井戸型の放射線遮蔽壁から構成されている。
【００１９】
また分注装置１０は、放射性液体の分注先である分注シリンジ（分注容器）２５を備えている。また分注装置１０は、放射性液体の吸引及び吐出を行うのに使用するシリンジ（吸引吐出器）２６を備えている。シリンジ２６は、シリンダとこのシリンダ内で摺動するピストンとを備えている。ピストンの先端には、ゴム等の弾性体から形成されたパッキンが設けられている。従って、ピストンをシリンダ内で押し引きすることで、先端口から放射性液体を吸入したり、吐出したりすることができる。また分注装置１０は、放射性液体を希釈する希釈液を供給する希釈液供給部２８を備えている。希釈液としては、蒸留水や生理食塩水が挙げられる。また分注装置１０は、管路中の液体をパージするためのパージガス（例えば、エアやＮ２ガス）を供給するパージガス供給部３０を備えている。
【００２０】
また分注装置１０は、シリンジ２６を駆動するシリンジ駆動装置３２を備えている。このシリンジ駆動装置３２によりピストンが往復動されることで、放射性液体の吸引及び吐出がなされる。
【００２１】
また分注装置１０は、これら原液バイアル１２、保管バイアル２２、分注シリンジ２５、シリンジ２６、希釈液供給部２８、及びパージガス供給部３０を連通して流路を切り替える流路切替装置３４を備えている。流路切替装置３４は、第１から第５の５つの三方弁３４ａ，３４ｂ，３４ｃ，３４ｄ，３４ｅを有している。第１三方弁３４ａの一のポートは、チューブ３６を介して原液バイアル１２と接続されている。第１三方弁３４ａの他の一のポートは、チューブ３８を介してパージガス供給部３０と接続されている。第１三方弁３４ａの他の一のポートは、第２三方弁３４ｂの一のポートと切れ目なく直接接続されている。
【００２２】
第２三方弁３４ｂの他の一のポートは、チューブ４０を介して希釈液供給部２８と接続されている。第２三方弁３４ｂの他の一のポートは、第３三方弁３４ｃの一のポートと切れ目なく直接接続されている。第３三方弁３４ｃの他の一のポートは、シリンジ２６と接続されている。第３三方弁３４ｃの他の一のポートは、第４三方弁３４ｄの一のポートと切れ目なく直接接続されている。第４三方弁３４ｄの他の一のポートは、チューブ４３を介して分注シリンジ２５と接続されている。第４三方弁３４ｄの他の一のポートは、第５三方弁３４ｅの一のポートと切れ目なく直接接続されている。
【００２３】
第５三方弁３４ｅの他の一のポートは、図示しない品質検定部と接続されている。また第５三方弁３４ｅの他の一のポートは、チューブ４２を介して保管バイアル２２と接続されている。
【００２４】
また分注装置１０は、放射性液体の分注動作を制御する制御装置１６を備えている。この制御装置１６は、放射線検出器１４、重量計測器１８、撮像装置２０、各三方弁３４ａ，３４ｂ，３４ｃ，３４ｄ，３４ｅ、及びシリンジ駆動装置３２と接続されている。この制御装置１６による具体的な制御は後述する。この制御装置１６には、分注に必要なパラメータを入力するための入力部４４が接続されている。
【００２５】
次に、上記した分注装置１０による放射性液体の分注方法について、図２及び図３のフローチャートを参照して説明する。なお、本実施形態では、放射性液体として18Ｆ−ＦＤＧ（フルオロデオキシグルコース）を分注する場合について説明する。
【００２６】
まず、分注装置１０のセットアップを行う。具体的には、放射線検出器１４内に原液バイアル１２を収容し、重量計測器１８上に搭載する。また、保管バイアル収容部２４に保管バイアル２２を収容する。また、分注シリンジ２５を所定位置にセットし、先端にエアフィルタ２７を取り付ける。そして、原液バイアル１２と図示しない合成装置をチューブ４６で接続する。また、原液バイアル１２及びパージガス供給部３０をそれぞれチューブ３６，３８を介して第１三方弁３４ａに接続する。また、希釈液供給部２８をチューブ４０を介して第２三方弁３４ｂに接続する。また、シリンジ２６を第３三方弁３４ｃに接続すると共に、シリンジ２６のピストンをシリンジ駆動装置３２に接続する。更に、保管バイアル２２をチューブ４２を介して第５三方弁３４ｅに接続する。また、分注シリンジ２５を、チューブ４３を介して第４三方弁３４ｄに接続する。
【００２７】
この分注装置１０では、上記セットアップが完了したら、チューブ４６を介して図示しない合成装置からＦＤＧの原液を原液バイアル１２に搬送して貯留する。次に、制御装置１６により流路切替装置３４を駆動して、パージガス供給部３０と原液バイアル１２とを連通させる。そして、パージガスを原液バイアル１２内に吹き込むことで、原液バイアル１２内のＦＤＧを攪拌する。この状態から、分注シリンジ２５へのＦＤＧの分注が開始される。
【００２８】
まず、図１及び図２を参照して、入力部４４を介して、ＦＤＧの最小取出放射能量Ｒｍ（ＭＢｑ）を制御装置１６に入力する（ステップＳ１０）。この最小取出放射能量Ｒｍは各施設で設定する値であり、原液バイアル１２から分注のために取出される最小の放射能量である。ここでは、一具体例として最小取出放射能量Ｒｍを１００（ＭＢｑ）とする。
【００２９】
次に、最小取出放射能量Ｒｍと原液バイアル１２に貯留されたＦＤＧの濃度Ｒｃとの比Ｚ（＝Ｒｍ／Ｒｃ）が、シリンジ２６の許容最小吐出液量Ｌｍよりも小さいか否かが判定される（ステップＳ１２）。ここで、図３に示すように、制御装置１６は、放射線検出器１４と重量計測器１８又は／及び撮像装置２０とを制御して、所定時間（例えば１０ミリ秒）ごとに原液バイアル１２内のＦＤＧの放射能量Ｒ（ＭＢｑ）と液量Ｌ（ｍｌ）とを測定し、ＦＤＧの放射能濃度Ｒｃを算出している（ステップＳ４０，Ｓ４２，Ｓ４４）。従って、この算出された放射能濃度Ｒｃを利用してステップＳ１２における判定を行う。なお、許容最小吐出液量Ｌｍは、シリンジ２６によりガタ等の影響を受けることなく液量的に許容し得る精度で吸引して吐出することが可能な最小の液量である。ここでは、一具体例としてＦＤＧの放射能量Ｒが１００００（ＭＢｑ）で液量Ｌが１０（ｍｌ）と測定され、放射能濃度Ｒｃが１０００（ＭＢｑ／ｍｌ）であるとする。また、許容最小吐出液量Ｌｍを１（ｍｌ）とする。
【００３０】
そして、ステップＳ１２での判定結果がＮＯのときは、ＦＤＧを希釈しなくても精度良い分注を行い得るため、ＦＤＧの一部保管や希釈を行うことなく、ステップＳ３２に進んで後述する分注作業に入る。一方、ステップＳ１２での判定結果がＹＥＳのときは、ステップＳ１４に進む。上記した一具体例では、比Ｚ（＝Ｒｍ／Ｒｃ）が０．１（ｍｌ）であり、許容最小吐出液量Ｌｍの１（ｍｌ）よりも小さいため、ステップＳ１４に進むこととなる。
【００３１】
ステップＳ１４では、最小取出放射能量Ｒｍと許容最小吐出液量Ｌｍとに基づいて、許容放射能濃度Ｒ０＝Ｒｍ／Ｌｍを算出する。そして、ステップＳ１６において、許容放射能濃度Ｒ０と原液バイアル１２内のＦＤＧの液量Ｌ１及び濃度Ｒｃとに基づいて、許容液量Ｌ０＝Ｌ１×Ｒ０／Ｒｃを算出する。この許容液量Ｌ０が、保管バイアル２２にＦＤＧの一部を保管するときに原液バイアル１２に残し得る最大の液量である。この許容液量Ｌ０のＦＤＧを希釈液により元の液量Ｌ１まで希釈したとき、シリンジ２６の許容最小吐出液量Ｌｍで最小取出放射能量ＲｍのＦＤＧを取出し得るようになる。上記した一具体例では、許容放射能濃度Ｒ０は１００（ＭＢｑ／ｍｌ）となり、許容液量Ｌ０は１（ｍｌ）となる。
【００３２】
次に、制御装置１６により流路切替装置３４を駆動して、原液バイアル１２とシリンジ２６とを連通させる。次に、シリンジ駆動装置３２によりシリンジ２６を駆動し、ＦＤＧの吸引を開始する（ステップＳ１８）。次に、シリンジ２６の駆動後において原液バイアル１２に残っているＦＤＧの液量Ｌ２を取得し、液量Ｌ２が許容液量Ｌ０の許容誤差範囲内にあるか否か判定する（ステップＳ２０）。すなわち、液量Ｌ２が許容液量Ｌ０±α以内であるか否か判定する。この許容誤差範囲αは任意に設定でき、例えば３％程度に設定することができる。
【００３３】
そして、ステップＳ２０の判定結果がＮＯのときは、ステップＳ１８に戻り、許容液量Ｌ０と実際の液量Ｌ２との偏差が小さくなるように液量に基づいてシリンジ駆動装置３２をフィードバック制御し、これによりシリンジ２６を駆動してＦＤＧを吸引又は吐出する。この動作を繰り返し、ステップＳ２０の判定結果がＹＥＳになったとき、次のステップＳ２２に進む。この作業により、許容液量Ｌ０の許容誤差範囲α内のＦＤＧが原液バイアル１２内に残るように、所定量Ｌ１−Ｌ０のＦＤＧが原液バイアル１２からシリンジ２６に取出される。上記した一具体例では、１（ｍｌ）の許容誤差範囲α内のＦＤＧが原液バイアル１２内に残るように、９（ｍｌ）のＦＤＧが原液バイアル１２からシリンジ２６に取出される。
【００３４】
次に、制御装置１６により流路切替装置３４を駆動して、保管バイアル２２とシリンジ２６とを連通させる（ステップＳ２２）。そして、制御装置１６によりシリンジ駆動装置３２を駆動してシリンジ２６のピストンを押し戻し、保管バイアル２２にＦＤＧを吐出する（ステップＳ２４）。更に、制御装置１６により流路切替装置３４を駆動して、パージガス供給部３０とシリンジ２６とを連通させる。次に、パージガス供給部３０からパージガスをシリンジ２６内に吸引することで、流路切替装置３４内に残存するＦＤＧをパージガスと共にシリンジ２６内に吸引する。次に、制御装置１６により流路切替装置３４を駆動して、シリンジ２６と保管バイアル２６とを連通させる。そして、制御装置１６によりシリンジ駆動装置３２を駆動してシリンジ２６のピストンを押し戻し、保管バイアル２２にＦＤＧをパージガスと共に吐出する。
【００３５】
これにより、図４に示すように、原液バイアル１２内には許容液量Ｌ０のＦＤＧが貯留され、保管バイアル２２にはＬ１−Ｌ０のＦＤＧが保管された状態となる。上記した一具体例では、原液バイアル１２内には１（ｍｌ）のＦＤＧが貯留され、保管バイアル２２には９（ｍｌ）のＦＤＧが保管された状態となる。
【００３６】
次に、原液バイアル１２内に残されたＦＤＧを希釈するための希釈液の液量ｌ＝Ｌ１−Ｌ０を算出する（ステップＳ２６）。次に、制御装置１６により流路切替装置３４を駆動して、シリンジ２６と希釈液供給部２８とを連通させる。そして、ステップＳ２６で算出した液量ｌの希釈液をシリンジ２６に吸引する（ステップＳ２８）。上記した一具体例では、９（ｍｌ）の希釈液をシリンジ２６に吸引する。
【００３７】
次に、制御装置１６により流路切替装置３４を駆動して、シリンジ２６と原液バイアル１２とを連通させる。そして、制御装置１６によりシリンジ駆動装置３２を駆動してシリンジ２６のピストンを押し戻し、原液バイアル１２に希釈液を吐出する（ステップＳ３０）。更に、制御装置１６により流路切替装置３４を駆動して、パージガス供給部３０とシリンジ２６とを連通させる。次に、パージガス供給部からパージガスをシリンジ２６内に吸引することで、流路切替装置３４内に残存する希釈液をパージガスと共にシリンジ２６内に吸引する。次に、制御装置１６により流路切替装置３４を駆動して、シリンジ２６と原液バイアル１２とを連通させる。そして、制御装置１６によりシリンジ駆動装置３２を駆動してシリンジ２６のピストンを押し戻し、原液バイアル１２に希釈液をパージガスと共に吐出する。
【００３８】
これにより、図５に示すように、原液バイアル１２内には液量Ｌ１の希釈されたＦＤＧが貯留された状態となる。上記した一具体例では、原液バイアル１２内には１０（ｍｌ）の希釈されたＦＤＧが貯留された状態となる。このときの放射能濃度は、１００（ＭＢｑ／ｍｌ）となる。
【００３９】
この状態から、分注シリンジ２５へのＦＤＧの分注作業を開始する（ステップＳ３２）。
【００４０】
まず、制御装置１６により流路切替装置３４を駆動して、シリンジ２６と原液バイアル１２とを連通させる。そして、所望量のＦＤＧを原液バイアル１２からシリンジ２６内に吸引する。ここで、本実施形態では、分注のためにシリンジ２６に吸引されるＦＤＧの液量は、常にシリンジ２６の許容最小吐出液量Ｌｍ以上となる。
【００４１】
次に、制御装置１６により流路切替装置３４を駆動して、シリンジ２６と分注シリンジ２５とを連通させる。そして、制御装置１６によりシリンジ駆動装置３２を駆動してシリンジ２６のピストンを押し戻し、分注シリンジ２５内にＦＤＧを吐出する。これにより、図６に示すように、所定量のＦＤＧが分注シリンジ２５内に分注される。なお、シリンジ２６から分注シリンジ２５にＦＤＧを吐出する前に、シリンジ２６内に希釈液を吸引し、シリンジ２６内で更に希釈してもよい。
【００４２】
このようにして、分注シリンジ２５へのＦＤＧの分注作業が行われる。かかる分注作業が繰り返し行われ、原液バイアル１２に貯留されたＦＤＧの放射能量が所定量を下回ったとき、例えば、図７に示すように、次の分注作業を行うに必要な放射能量に満たないとき、保管バイアル２２から原液バイアル１２に待避させていたＦＤＧの少なくとも一部を戻す。
【００４３】
まず、制御装置１６により流路切替装置３４を駆動して、シリンジ２６と保管バイアル２２とを連通させる。そして、所望量のＦＤＧを保管バイアル２２からシリンジ２６内に吸引する。次に、制御装置１６により流路切替装置３４を駆動して、シリンジ２６と原液バイアル１２とを連通させる。そして、制御装置１６によりシリンジ駆動装置３２を駆動してシリンジ２６のピストンを押し戻し、図８に示すように、原液バイアル１２内にＦＤＧを吐出する。そして、上記と同様に原液バイアル１２内でＦＤＧを希釈し、分注シリンジ２５への分注作業を継続する。
【００４４】
次に、本実施形態の作用及び効果について説明する。
【００４５】
本実施形態では、原液バイアル１２からＦＤＧの一部を抽出して保管バイアル２２に保管し、原液バイアル１２に残ったＦＤＧを希釈しているため、希釈前のＦＤＧが高濃度であっても、希釈することで同じ放射能量を得るために必要な液量を増やすことができる。従って、希釈前は極少量でシリンジ２６による高精度な分注が難しくなる虞がある場合であっても、同じ放射能量を得るために必要な液量が増えることで、分注精度の向上を図ることが可能となる。
【００４６】
特に、最小取出放射能量をＲｍと原液バイアル１２に貯留されたＦＤＧの濃度Ｒｃとの比Ｚ（＝Ｒｍ／Ｒｃ）がシリンジ２６の許容最小吐出液量Ｌｍより小さいときに、原液バイアル１２からＦＤＧの一部を抽出して保管バイアル２２に保管しているため、シリンジ２６による高精度な分注が難しくなる虞が極めて高い場合に、分注精度を確実に向上させることができる。それ以外の場合は、原液バイアル１２内のＦＤＧの希釈、及び保管バイアル２２の保管を行わず、そのまま分注作業を行うことで、全ての場合に希釈するときと比べて、分注作業の効率化を図ることができる。
【００４７】
また、原液バイアル１２に残すＦＤＧの希釈前の液量Ｌ２は、最小取出放射能量Ｒｍ、許容最小吐出液量Ｌｍ、ＦＤＧの濃度Ｒｃ、及び原液バイアル１２に貯留されたＦＤＧの液量Ｌ１に基づいて定まる許容液量Ｌ０としているため、希釈後にシリンジ２６による高精度な分注を行いうる液量のＦＤＧを原液バイアル１２に残すことができる。
【００４８】
また、原液バイアル１２内のＦＤＧの放射能量が所定値以下になったとき、保管バイアル２２に保管されているＦＤＧの少なくとも一部を原液バイアル１２に戻すことができるため、分注に必要なＦＤＧが補充され、継続して分注作業を行うことが可能となる。
（第２実施形態）
【００４９】
次に、本発明の第２実施形態について説明する。なお、上記した第１実施形態と同一の要素には同一の符号を附し、重複する説明を省略する。
【００５０】
第２実施形態に係る分注装置１０の構成は、上記した第１実施形態に係る分注装置１０の構成とほぼ同一であり、分注方法が異なる。
【００５１】
すなわち、上記した第１実施形態では、図２に示すように、最初に最小取出放射能量Ｒｍを入力し（ステップＳ１０）、種々の計算を行って原液バイアル１２に残す許容液量Ｌ０を算出していた（ステップＳ１６）。しかしながら、各施設で最小取出放射能量Ｒｍやシリンジ２６の許容最小吐出液量Ｌｍなどは一度設定されると変更されない場合があるため、その都度、最小取出放射能量Ｒｍの入力や種々の計算を行う必要がない場合がある。
【００５２】
そこで、本実施形態では、最小取出放射能量Ｒｍ及びシリンジ２６の許容最小吐出液量Ｌｍから、原液バイアル１２内に貯留されているＦＤＧの濃度Ｒｃと許容液量Ｌ０との関係を算出し、これに基づいて原液バイアル１２に残す液残量Ｌ２を予め求めておく。
【００５３】
表１は、保管バイアル２２へのＦＤＧの保管前における放射能濃度Ｒｃと、許容液量Ｌ０、及び液残量Ｌ２の関係の一例を示している。表１の計算においては、ＦＤＧの液量Ｌ１を１８（ｍｌ）とし、シリンジ２６により一度に取出す最小の放射能量である最小取出放射能量Ｒｍを１５０（ＭＢｑ）とし、許容最小吐出液量Ｌｍを０．５（ｍｌ）とし、シリンジ２６により一度に取出す最大の放射能量である最大取出放射能量を４５０（ＭＢｑ）として、０〜３０００（ＭＢｑ／ｍｌ）の放射能濃度Ｒｃについて計算を行った。
【表１】
2006133139.tif 000003
【００５４】
表１の第１及び第２欄に示すように、ＦＤＧを保管バイアル２２に保管する前における放射能濃度Ｒｃが許容放射能濃度Ｒ０である３００（ＭＢｑ／ｍｌ）を超えると、最小取出放射能量Ｒｍである１５０（ＭＢｑ）のＦＤＧを取出すには、最小吐出液量が許容最小吐出液量Ｌｍである０．５（ｍｌ）を下回ることが分かる。従って、この場合は保管バイアル２２にＦＤＧの一部を保管し、残りを希釈する必要がある。この場合、原液バイアル１２に残すＦＤＧの液残量Ｌ２は、許容液量Ｌ０以下とする必要があるため、Ｌ０＝Ｌ１×Ｒ０／Ｒｃの関係式から、まず許容液量Ｌ０を算出する。このようにして算出された許容液量Ｌ０が、表１の第３欄に記載されている。
【００５５】
そして、本実施形態では、表１の第４欄に示すように、放射能濃度Ｒｃが１８００（ＭＢｑ／ｍｌ）以上では液残量Ｌ２を１．５（ｍｌ）とし、放射能濃度Ｒｃが９００（ＭＢｑ／ｍｌ）以上で１８００（ＭＢｑ／ｍｌ）までは液残量Ｌ２を３．０（ｍｌ）とし、放射能濃度Ｒｃが３００（ＭＢｑ／ｍｌ）を超えて９００（ＭＢｑ／ｍｌ）までは液残量Ｌ２を６．０（ｍｌ）とし、放射能濃度Ｒｃが３００（ＭＢｑ／ｍｌ）以下では液残量Ｌ２を１８（ｍｌ）とする。
【００５６】
このようにして決められた液残量Ｌ２は、表１の第３及び第４欄に示すように、全て許容液量Ｌ０を下回っているため、元の液量１８（ｍｌ）まで希釈して、最小取出放射能量Ｒｍである１５０（ＭＢｑ）のＦＤＧを取出す場合であっても、表１の第７欄に示すように、最小吐出液量がシリンジ２６の許容最小吐出液量Ｌｍである０．５（ｍｌ）を下回ることはない。
【００５７】
なお、表１の第５欄において希釈後濃度とは、液残量Ｌ２のＦＤＧを元の液量１８（ｍｌ）まで希釈したときの放射能濃度である。また、表１の第６欄において最大吐出液量とは、最大取出放射能量である４５０（ＭＢｑ）のＦＤＧを取出すときに必要な吐出量である。
【００５８】
上記した結果から、原液バイアル１２内に貯留されているＦＤＧの濃度Ｒｃと、保管バイアル１２に待避させて保管する待避液量Ｌｔとの関係を表２に示す。本実施形態に係る分注装置１０は、表２に示すようなテーブルを予め制御装置１６のメモリに記憶している。
【表２】
2006133139.tif 000004
【００５９】
次に、図９及び図１０のフローチャートを参照して、本実施形態の分注方法について説明する。
【００６０】
まず、第１実施形態と同様に、分注装置１０のセットアップを行う。上記セットアップが完了したら、チューブ４６を介して図示しない合成装置からＦＤＧの原液を原液バイアル１２に搬送して貯留する。次に、制御装置１６により流路切替装置３４を駆動して、パージガス供給部３０と原液バイアル１２とを連通させる。そして、パージガスを原液バイアル１２内に吹き込むことで、原液バイアル１２内のＦＤＧを攪拌する。この状態から、分注シリンジ２５へのＦＤＧの分注が開始される。
【００６１】
まず、原液バイアル１２に貯留されたＦＤＧの濃度Ｒｃに基づいて、保管バイアル２２に待避させて保管するＦＤＧの待避液量Ｌｔを決定する（ステップＳ１００）。ここで、図３を参照して説明したように、制御装置１６は放射線検出器１４と、重量計測器１８又は／及び撮像装置２０とを制御して所定時間（例えば１０ミリ秒）ごとに原液バイアル１２内のＦＤＧの放射能量Ｒ（ＭＢｑ）と液量Ｌ（ｍｌ）とを測定し、ＦＤＧの放射能濃度Ｒｃを算出しているため（図３のステップＳ４０，Ｓ４２，Ｓ４４）、この算出された放射能濃度Ｒｃを利用する。また、待避液量Ｌｔの決定に当たっては、予め求めた濃度Ｒｃと待避液量Ｌｔとの関係を示す表２のテーブルを利用する。
【００６２】
次に、原液バイアル１２内のＦＤＧの液量Ｌ１が待避液量Ｌｔよりも小さいか否かを判定する（ステップＳ１０２）。そして、ステップＳ１０２での判定結果がＹＥＳのときは、ステップＳ１０４に進んで液量不足の警告を発して、分注作業を終了する。この場合、作業者の判断で原液バイアル１２内のＦＤＧを希釈し、液量を増やした上で、最初から分注作業を開始する。一方、ステップＳ１０２での判定結果がＮＯのときは、ステップＳ１０６に進む。
【００６３】
ステップＳ１０６では、保管バイアル２２に待避された待避液量ＬｔのＦＤＧの放射能濃度ＲｔｓをＲｃとして記憶する。次に、ステップＳ１０８において、放射能濃度Ｒｔｓを記憶したときの時刻Ｔｔｓを記憶する。
【００６４】
次に、上記ステップＳ１００で決定した待避液量ＬｔのＦＤＧを、保管バイアル２２に待避させて保管する（ステップＳ１１０）。なお、待避動作においては、待避液量Ｌｔに基づいて、シリンジ駆動装置３２によりシリンジ２６を単に駆動制御してもよく、一方、第１実施形態と同様に、原液バイアル１２に残すＦＤＧの液残量Ｌ２を算出し、液残量Ｌ２が許容誤差範囲内に収まるように、液面に基づくフィードバック制御により、シリンジ２６を駆動制御してもよい。
【００６５】
そして、上記した第１実施形態と同様に、ステップＳ１１２において原液バイアル１２内のＦＤＧを元の液量まで希釈し、ステップＳ１１４において希釈されたＦＤＧを分注シリンジ２５に分注する。このようにして、分注シリンジ２５へのＦＤＧの分注作業が行われる。かかる分注作業が繰り返し行われ、原液バイアル１２に貯留されたＦＤＧの液量Ｌが所定量を下回ったとき、ここでは最小残量Ｌｘを下回ったとき、保管バイアル２２から原液バイアル１２へのＦＤＧの戻し作業が行われる。この最小残量Ｌｘは、任意に設定することができる。
【００６６】
ここで、図１０を参照して、保管バイアル２２から原液バイアル１２へのＦＤＧの戻し作業について説明する。
【００６７】
まず、ステップＳ２００において、原液バイアル１２に貯留されたＦＤＧの液量Ｌが最小残量Ｌｘよりも小さいか否かが判定される。ステップＳ２００の判定結果がＹＥＳのときは、ステップＳ２０２に進んで、保管バイアル２２内に貯留されたＦＤＧの現在の放射能濃度Ｒｔｎを、次式に基づいて算出する。
【００６８】
Ｒｔｎ  ＝  Ｒｔｓ×ｅｘｐ［−０．６９３×ΔＴ／Ｔｈ］
【００６９】
ここで、Ｒｔｓは保管バイアル２２に待避されたＦＤＧの当初の放射能濃度であり、ΔＴは放射能濃度Ｒｔｓを記憶したときの時刻Ｔｔｓから現時刻Ｔｔｎまでの経過時間であり、ＴｈはＦＤＧの半減期（１０９．８）である。なお、放射線検出器などにより、保管バイアル２２に保管されたＦＤＧの濃度を直接計測可能であれば、かかるステップＳ２０２は省略することができる。
【００７０】
そして、ステップＳ２０４において、算出した現在の放射能濃度Ｒｔｎに基づいて、原液バイアル１２に戻すＦＤＧの戻し液量Ｌｒを次式に基づいて算出する。
【００７１】
Ｌｒ  ＝  Ｒｗ×Ｌｗ／Ｒｔｎ
【００７２】
ここで、Ｒｗは原液バイアル１２内の目標原液濃度であり、Ｌｗは原液バイアル１２内の目標原液量である。例えば、Ｒｗは３００（ＭＢｑ／ｍｌ）であり、Ｌｗは２５（ｍｌ）である。
【００７３】
次に、ステップＳ２０６において、ステップＳ２０４において算出した戻し液量Ｌｒが、保管バイアル２２に残っているＦＤＧの待避液残量Ｌｙよりも小さいか否かが判定される。なお、このように保管バイアル２２に残っているＦＤＧの待避液残量Ｌｙを求める必要があるため、保管バイアル収容部２４は、原液バイアル１２に対して設けられているような、重量計測器や撮像装置などの液量検出装置を有すると好ましい。
【００７４】
そして、ステップＳ２０６の判定結果がＹＥＳのときは、ステップＳ２０８に進んで、戻し液量ＬｒのＦＤＧが原液バイアル１２へ戻される。一方、ステップＳ２０６の判定結果がＮＯのときは、ステップＳ２１０に進んで、液量不足の警告がなされる。そして、ステップＳ２１２において、保管バイアル２２に保管されているＦＤＧの全量を戻すか否かの確認がなされる。そして、ステップＳ２１２の確認結果がＹＥＳのときは、ステップＳ２０８に進んで、待避液残量ＬｙのＦＤＧが原液バイアル１２へ戻される。一方、ステップＳ２１２の確認結果がＮＯのときは、ＦＤＧの戻し作業は行われない。
【００７５】
そして、このようにして原液バイアル１２に戻されたＦＤＧを用いて、分注シリンジ２５への分注作業を継続することができる。
【００７６】
次に、本実施形態の作用及び効果について説明する。
【００７７】
本実施形態でも、原液バイアル１２からＦＤＧの一部を抽出して保管バイアル２２に保管し、原液バイアル１２に残ったＦＤＧを希釈しているため、希釈前のＦＤＧが高濃度であっても、希釈することで同じ放射能量を得るために必要な液量を増やすことができる。従って、希釈前は極少量でシリンジ２６による高精度な分注が難しくなる虞がある場合であっても、同じ放射能量を得るために必要な液量が増えることで、分注精度の向上を図ることが可能となる。
【００７８】
特に、本実施形態では、原液バイアル１２内に貯留されているＦＤＧの濃度Ｒｃと、保管バイアル２２に待避させて保管する待避液量Ｌｔとの関係を予め求めておくことで、その都度、最小取出放射能量Ｒｍの入力や種々の計算を行う必要がなく、より効率的な分注を行うことができる。
【００７９】
また、原液バイアル１２に残すＦＤＧの希釈前の液量Ｌ２は、最小取出放射能量Ｒｍ、許容最小吐出液量Ｌｍ、ＦＤＧの濃度Ｒｃ、及び原液バイアル１２に貯留されたＦＤＧの液量Ｌ１に基づいて定まる許容液量Ｌ０以下としているため、希釈後にシリンジ２６による高精度な分注を行いうる液量のＦＤＧを原液バイアル１２に残すことができる。
【００８０】
また、原液バイアル１２内のＦＤＧの液量（放射能量）が所定値以下になったとき、保管バイアル２２に保管されているＦＤＧの少なくとも一部を原液バイアル１２に戻すことで、分注に必要なＦＤＧが補充され、継続して分注作業を行うことが可能となる。
【００８１】
なお、本発明は上記した実施形態に限定されることなく、種々の変形が可能である。例えば、分注先はシリンジ２５に限られず、バイアルであってもよい。
【００８２】
また、放射性液体を吸引して吐出できれば、吸引吐出器としてシリンジ２６以外のものを用いてもよい。但し、本発明はピストンにあそび（ガタ）があり、極少量の放射性液体の分注に難のある、ディスポーザブルタイプのシリンジの場合に特に効果的である。
【図面の簡単な説明】
【００８３】
【図１】放射性液体の分注装置の構成を示す図である。
【図２】放射性液体の分注方法を示すフローチャートである。
【図３】原液バイアル内の放射能量と液量の検出の流れを示すフローチャートである。
【図４】保管バイアルに放射性液体の一部が保管された状態を示す図である。
【図５】原液バイアル内の放射性液体を希釈した状態を示す図である。
【図６】分注シリンジに希釈された放射性液体が分注された状態を示す図である。
【図７】原液バイアル内の放射性液体が不足している状態を示す図である。
【図８】保管バイアルから原液バイアルに放射性液体の一部を戻した状態を示す図である。
【図９】放射性液体の分注方法を示すフローチャートである。
【図１０】放射性液体の戻し作業を説明するためのフローチャートである。
【符号の説明】
【００８４】
１０…分注装置、１２…原液バイアル、１４…放射線検出器、１６…制御装置、１８…重量計測器、２０…撮像装置、２２…保管バイアル、２５…分注シリンジ、２６…シリンジ、２８…希釈液供給部、３２…シリンジ駆動装置、３４…流量切替装置。
【図１】
2006133139.tif 000005
【図２】
2006133139.tif 000006
【図３】
2006133139.tif 000007
【図４】
2006133139.tif 000008
【図５】
2006133139.tif 000009
【図６】
2006133139.tif 000010
【図７】
2006133139.tif 000011
【図８】
2006133139.tif 000012
【図９】
2006133139.tif 000013
【図１０】
2006133139.tif 000014